(57)【要約】      （修正有）【課題】発光装置の上表面に対して平行重ね合わさって視認できる像のみではなく、上表面に対して斜め方向又は垂直方向に面が複数連続して配置しているように視認できる発光装置を提供する。【解決手段】発光装置１００は、主として、光源部材１０、導光部材２０、鏡面部材３０、ハーフミラー４０及びこれらを固定する外周枠５０とを備えているものとし、導光部材２０の内周面２２から光が出射するものとした。これにより、内周面全体を出射面とすると、あたかもトンネルが奥行き方向へ続いているかのような印象を与える像として視認させることができる。【選択図】図１
2014240941.tif 000002
【特許請求の範囲】
【請求項１】
略中央に貫通孔が形成された導光部材と、
前記導光部材に光を導入する光源部材と、
前記導光部材の背面側に配置される鏡面部材と、
前記導光部材の正面側に配置され、進行してきた光の一部を透過させて上表面側から出射し、かつその他の光を背面方向に反射するハーフミラーと、を備え、
前記光源から導入された光の一部又は全部が、前記導光部材の貫通孔の周囲面である内周面から光を出射することを特徴とする発光装置。
【請求項２】
前記導光部材は、前記内周面に複数の拡散ドットが形成されていることを特徴とする請求項１に記載の発光装置。
【請求項３】
前記導光部材は、前記内周面に粗面が形成されていることを特徴とする請求項１又は２に記載の発光装置。
【請求項４】
前記導光部材は、前記内周面に溝が形成されていることを特徴とする請求項１から３のいずれか１項に記載の発光装置。
【請求項５】
前記導光部材は、内周面以外の面の一部又は全部の面に反射部材が設けられていることを特徴とする請求項１から４のいずれか１項に記載の発光装置。
【請求項６】
前記導光部材は、内周面の一部に反射部材が設けられていることを特徴とする請求項１から５のいずれか１項に記載の発光装置。
【請求項７】
前記反射部材は、導光部材側の面と反対側の面が黒色であるか、又は黒色部材が配置されていることを特徴とする請求項５又は６に記載の発光装置。
【請求項８】
前記導光部材は、前記内周面の一部又は全部が鏡面部材に対して斜面に形成されていることを特徴とする請求項１から７のいずれか１項に記載の発光装置。
【請求項９】
前記導光部材は、前記内周面が曲面に形成されていることを特徴とする請求項１から８のいずれか１項に記載の発光装置。
【請求項１０】
前記導光部材と前記反射部材との間及び前記導光部材と前記ハーフミラーとの間の少なくとも一方に隙間が形成されていることを特徴とする請求項１から９のいずれか１項に記載の発光装置。
【請求項１１】
前記ハーフミラーの上表面には、模様又は表示情報が記載されていることを特徴とする請求項１から１０のいずれか１項に記載の発光装置。
【請求項１２】
前記鏡面部材及び前記ハーフミラーのそれぞれの向かい合う面のいずれか又は両方が、中央が膨らんでいるか又は凹んでいる湾曲面からなることを特徴とする請求項１から１１のいずれか１項に記載の発光装置。
【発明の詳細な説明】
【技術分野】
【０００１】
本発明は、発光装置に関する。
【背景技術】
【０００２】
従来から奥行きのある像を表示する発光装置が種々提案されている。例えば、入射面、表示させるべき像の形状とされた反射領域が形成された反射面、及び出射面を有する導光板と、入射面の正面に位置する光源と、を備えており、入射面から入射した光を反射面によって出射方向前方へと反射させることにより、出射面を透して任意の像を表示する構成とされた発光装置であって、導光板に対して出射方向後方に位置する全反射面と、導光板に対して出射方向前方に位置しており、出射方向後方から進行してきた光の一部を出射方向後方に反射し、かつその他の部分を出射方向前方に透過させるハーフミラーと、が設けられているものがある（特許文献１）。
【０００３】
この発光装置によれば、あたかも上記導光板の厚さ方向において等ピッチに重ねあわされた複数の像として顕像される。したがって、上記発光装置の薄型化をはかりつつ、奥行きのある像を表示することができる、という効果がある。
【０００４】
しかし、従来の奥行きがあるように像を表示する発光装置は、発光装置の表示面と平行に表示された表示情報や模様を複数重ねあわせられたように表示させることしかできなかった。例えば、表示面と垂直方向に連続性があるように像を表示することができなかった。
【先行技術文献】
【特許文献】
【０００５】
【特許文献１】特開２００８−１４５６７５号公報
【発明の開示】
【発明が解決しようとする課題】
【０００６】
本発明は、このような課題を鑑みされたものであり、発光装置の上表面に対して平行重ね合わさって視認できる像のみではなく、上表面に対して斜め方向又は垂直方向に面が複数連続して配置しているように視認できる発光装置を提供することを主目的とする。
【課題を解決するための手段】
【０００７】
本発明は、上述の主目的を達成するために、以下の手段を採った。
【０００８】
本発明にかかる発光装置は、
略中央に貫通孔が形成された導光部材と、
前記導光部材に光を導入する光源部材と、
前記導光部材の背面側に配置される鏡面部材と、
前記導光部材の正面側に配置され、進行してきた光の一部を透過させて上表面側から出射し、かつその他の光を背面方向に反射するハーフミラーと、を備え、
前記光源から導入された光の一部又は全部が、前記導光部材の貫通孔の周囲面である内周面から光を出射することを特徴とする。
【０００９】
本発明の発光装置は、鏡面部材とハーフミラーとの間に貫通孔を有する導光部材を配置し、上表面に対して垂直方向の面である導光部材の内周面を像として表示する。これにより、上表面に対して平行に見える面が奥行き方向へ重ね合わされたように見えるのではなく、上表面に対して垂直方向に連続して配置されているように視認させることができる。あたかも垂直面は連続して配置されているように視認させることができる。内周面全体を出射面とすると、あたかもトンネルが奥行き方向へ続いているかのような印象を与える像として視認させることができる。
【００１０】
また、本発明にかかる発光装置において、前記導光部材は、前記内周面に複数の拡散ドットが形成されていることを特徴としてもよい。内周面に拡散ドットを形成することによって、拡散ドットで光が拡散されたり、屈折されたりした光によって内周面の境界が明るく光って視認される。そのため、内周面にドット状の明るい光が視認され、内周面が見やすくなり、奥行き方向に連続する像をより明るく視認させることができる。
【００１１】
さらに、本発明にかかる発光装置において、前記導光部材は、前記内周面に粗面が形成されていることを特徴としてもよい。内周面を粗面に形成することで、内周面の表面で乱反射及び拡散が発生し、内周面の表面が明るく光って見える。これにより、奥行き方向に連続する像をより明るく視認させることができる。
【００１２】
さらに、本発明にかかる発光装置において、前記導光部材は、前記内周面に溝が形成されていることを特徴とするものであってもよい。かかる構成を採用することで、内周面の溝の形状を奥行き方向に連続する像として視認させることができる。
【００１３】
さらに、本発明にかかる発光装置において、前記導光部材は、一部又は全部の面に反射部材が設けられていることを特徴とするものであってもよい。かかる構成を採用することによって、内周面以外の面に反射部材を設けた場合には、出射した光を再度導光部材内に再導入させることができ、内周面以外の面から光が出射することによる光の損失を抑え、より多くの光を内周面から出射させることができる。そのため、内周面をより明るくすることができる。
【００１４】
さらに、本発明にかかる発光装置において、前記導光部材は、内周面の一部に反射部材が設けられていることを特徴とするものであってもよい。内周面の一部に反射部材を設けることで、光が出射する面の一部を覆い隠すことができる。そのため、反射部材を貼り付けることで内周面から出射する光の面の形状を変化させることができる。例えば、反射部材を貼っていない内周面を細い線状にすることで細い線に光った像を視認させることができる。
【００１５】
さらに、本発明にかかる発光装置において、前記反射部材は、導光部材と反対側の面が黒色であるか、又は黒色部材が配置されていることを特徴とするものであってもよい。かかる構成を採用することによって、内周面以外の面から光が出射されることを防止することができる。そのため、内周面以外から意図しない像が顕像されることを防止することができる。
【００１６】
さらに、本発明にかかる発光装置において、前記導光部材は、前記内周面の一部又は全部が上表面に対して斜面に形成されていることを特徴とするものであってもよい。かかる構成を採用することによって、上表面に対して垂直面以外の面を形成することによって内周面に明るさの異なる面を作製することができる。また奥行き方向に立体的に連続する像として視認させることができる。
【００１７】
さらに、本発明にかかる発光装置において、前記導光部材は、前記内周面が曲面に形成されていることを特徴とするものであってもよい。かかる構成を採用することによって、曲面を任意に選択することによって、様々な形状の内周面を有するトンネル状の像として視認させることができる。
【００１８】
さらに、本発明にかかる発光装置において、前記導光部材と前記反射部材との間及び前記導光部材と前記ハーフミラーとの間の少なくとも一方に隙間が形成されていることを特徴とするものであってもよい。かかる構成を採用することによって、隙間を影のように暗部として奥行き方向に連続させることができるため、縞模様状に奥行き方向に連続する像として視認させることができる。
【００１９】
さらに、本発明にかかる発光装置において、前記ハーフミラーの上表面に、模様又は表示情報が記載されていることを特徴とするものであってもよい。かかる構成を採用することによって、奥行き方向に連続する像に加えて、模様又は表示情報が上表面に浮いているように視認される。
【００２０】
さらに、本発明にかかる発光装置において、前記鏡面部材及び前記ハーフミラーのそれぞれの向かい合う面のいずれか又は両方が、中央が膨らんでいるか又は凹んでいる湾曲面からなることを特徴とするものであってもよい。かかる構成を採用することによって、発光装置を視認した場合に内周面が奥に向かって周囲に広がったように見せたり、逆に中央に収束していくように見せたりすることができる。
【図面の簡単な説明】
【００２１】
【図１】図１は、第１実施形態にかかる発光装置１００の分解斜視図である。
【図２】図２は、第１実施形態にかかる導光部材２０の斜視図及び断面図である。
【図３】図３は、第１実施形態にかかる導光部材２０のバリエーションを示す斜視図である。
【図４】図４は、第１実施形態にかかる導光部材２０の内周面に形成される拡散ドット２９のバリエーションを示す斜視図である。
【図５】図５Ａは、第１実施形態にかかる導光部材２０に反射部材６０を配置する状態を示す斜視図である。図５Ｂには、第１実施形態にかかる導光部材２０の内周面２２以外に拡散ドット２８を設けた状態を示す斜視図である。
【図６】図６は、第１実施形態にかかる発光装置１００の断面図である。
【図７】図７は、第１実施形態にかかる発光装置１００を視認した状態を示す模式図である。
【図８】図８は、第２実施形態にかかる導光部材２０の斜視図及び発光装置１００を視認した状態を示す模式図である。
【図９】図９は、第３実施形態にかかる導光部材２０の断面図である。
【図１０】図１０Ａは、第４実施形態にかかる導光部材２０の断面図である。図１０Ｂは、第４実施形態にかかる発光装置１００を視認した状態を示す模式図である。
【図１１】図１１は、第５実施形態にかかる発光装置１００の部分断面図である。
【図１２】図１２は、第６実施形態にかかる導光部材２０の斜視図である。
【図１３】図１３は、第７実施形態にかかる発光装置１００の断面図である。
【図１４】図１４Ａは、第８実施形態にかかるハーフミラー４０の斜視図である。図１４Ｂは、第８実施形態にかかる発光装置１００の発光装置１００を視認した状態を示す模式図である。
【図１５】図１５Ａ及び図１５Ｂは、各実施形態において光源部材１０の配置の変形例を示す断面図である。
【図１６】図１６は、各実施形態において鏡面部材３０及びハーフミラー４０の変形例を示す断面図である。
【発明を実施するための形態】
【００２２】
本発明にかかる発光装置１００の実施形態について、図面を参照しつつ詳細に説明する。なお、以下に説明する実施形態及び図面は、本発明の実施形態の一部を例示するものであり、これらの構成に限定する目的に使用されるものではなく、本発明の要旨を逸脱しない範囲において適宜変更することができる。各図において対応する構成要素には同一又は類似の符号が付されている。なお、本明細書において、「正面側」とは、人が視認する側をいい、「背面側」とは、正面側と反対側をいい、「上表面」とは、ハーフミラーの正面側の面をいう。
【００２３】
（第１実施形態）
第１実施形態にかかる発光装置１００が図１に示されている。図１は、第１実施形態にかかる発光装置１００の分解斜視図である。第１実施形態にかかる発光装置１００は、主として、光源部材１０、導光部材２０、鏡面部材３０、ハーフミラー４０とを備えている。また、これらを固定する外周枠５０を備えている。
【００２４】
光源部材１０は、１又は２以上の発光ダイオード（以下「ＬＥＤ」という。）を備えている。発光ダイオードは、平面発光型、側面発光型、砲弾型等いずれのタイプであってもよい。好ましくは、平面発光型を使用するとよい。ＬＥＤの光の色は、限定するものではなく、例えば、白色、赤色、橙色、黄色、緑色、青色、藍色又は紫色のいずれかの色若しくはそれらの色の組み合わせ等であってもよい。光源部材１０は、発光ダイオード、電源の種類その他取り付け方法に応じて、光源取付部材１１やＬＥＤに電力を供給する電源ユニット（図示しない。）と、を備えていてもよい。電源ユニットとしては、外部から入力された電力をＬＥＤの定格に適合させるため、降圧、直流の定電流への整流、整流後のパルス変調及びノイズの除去等を行い、ＬＥＤに駆動電力を供給するため、例えば、変圧機、整流器、コンデンサ等から構成されるものがある。
【００２５】
導光部材２０は、光が内部を通過可能な透明な樹脂で作製されており、例えば、メチルメタクリレートやエチルメタクリレート等のメタクリル樹脂の他、メチルアクリレート、エチルアクリレート等のアクリル製樹脂、ポリカーボネート、ポリエチレン、ガラス等の種々の素材を用いることができる。高透過性を有する素材であれば特に限定するものではない。
【００２６】
導光部材２０は、四角形の中央に貫通孔が形成された形状をなしている。導光部材を作製するには、一枚の板状の四角形の導光板の中央に貫通孔を穿設して作製してもよいし、細長い直方体からなる４つの拍子木状の導光部材を組み合わせて作製してもよいし、Ｌ字型に成形した導光部材を組み合わせて作製してもよい。なお、導光部材２０を作製するには、大きな透明な樹脂の板等から切削やレーザー等で切り出してもよいし、型を作製してインジェクション等で成形して作製してもよい。第１実施形態では、図２に示すように、四角形の板状導光板の中央に相似形の四角形の大きな貫通孔２１が設けられ、この貫通孔２１の外周が内周面２２を形成するリング状の形態のものを使用して説明する。勿論、これに限定するものではなく、内周面２２を有するリング状の形態であればどのような形状であってもよい。例えば、図３Ａに示すように、円形のリング（２０ａ）でもよいし、図３Ｂに示すように、複数の曲率を有するリング状部材（２０ｂ）であってもよい。導光部材２０の断面は、図２のＡ−Ａ断面図に示すように四角形に形成されている。導光部材２０は、光源部材１０からの光を任意の場所から導光部材２０内に導入し、貫通孔２１が形成される内周面２２から主として導出する。導光部材２０に光を導入する場所は、導光部材２０の形態や光源部材１０の光の強さに応じて適宜設定することができる。例えば、第１実施形態においては、図１に示すように、４隅に配置される光源部材１０（１箇所見えていない）によって、導光部材２０内に光を導入してもよいし、図３Ａに示す円形のリング２０ａを使用した場合には、予め光の導入部を設けて導入するとよい。
【００２７】
導光部材２０の内周面２２は、平滑面であってもよいが、図２に示すように、内周面２２をより明るく視認させるために種々の拡散又は屈折手段を設けても良い。例えば、複数の拡散ドット２９を形成してもよい。導光部材２０の内周面２２に拡散ドット２９を形成することによって、拡散ドット２９によって拡散された光が内周面２２から出射され、拡散ドット２９で屈折した光によって境界が明るく光って内周面２２にドット状の明るい光が視認され、内周面２２が見やすくなる。そのため、奥行き方向に連続する像をより明るく視認させることができる。
【００２８】
拡散ドット２９は、主として凹部に形成される。凹部の形状は特に限定するものではなく、四角錐形状に加えて、図４に示すように、円錐形状（図４Ａ）、三角錐形状（図４Ｂ）、四角錐作業台形状（図４Ｃ）、半円球形状（図４Ｄ）等種々の穴の形態を選択することができる。また拡散ドットの作製方法としては、特に限定するものではなく、超音波加工、加熱加工、レーザー加工、切削加工等種々の加工方法を採用することができる。四角錐型の拡散ドット２９を超音波加工によって作製する場合には、先端面に拡散ドット２９を反転させた形状を有する加工ドットが縦横に複数マトリクス状に配置されている超音波加工ホーンを、導光部材２０に対して垂直に押圧することによって、加工ドットの形状が反映された形状の四角錐型の拡散ドット２９を形成することができる。本実施形態においては、拡散ドット２９は、略四角錐形状に凹む凹部からなり、四角錐底面に相当する位置が導光部材２０の内周面２２に位置するように設けられている。なお、個々の拡散ドット２９の大きさは、同じであっても異なっていても良い。例えば、光源１２ｂから遠ざかるにつれて、四角錐型の拡散ドット２９の各辺を徐々に長くしたり、四角錐型の拡散ドット２９の深さを徐々に深くしたりしても良い。こうすれば光源１２から近く光が強い位置では拡散される光量が小さくなり、光源部材１０から遠ざかるにつれて拡散される光量が大きくなるため、内周面２２で出射する光の光量を均等に近づけることができる。また、より強く光を出射したい部分のみに大きい拡散ドット２９を形成したりしてもよいし、一部のみが異なる外観を呈するように、一部のみ異なる形状の拡散ドット２９を形成してもよい。本実施形態では拡散ドット２９の各辺の長さが約０．６ｍｍ、深さが約０．４ｍｍであり、隣り合う四角錐型の拡散ドット２９間のピッチが２．０ｍｍに形成されている。勿論、これに限定するものではなく、適宜好適なサイズを選択することができる。好ましくは、四角錐型の拡散ドット２９の各辺の長さは、０．２ｍｍ〜１．５ｍｍで選択するとよい。また、四角錐型の拡散ドット２９の深さは、０．４ｍｍ〜０．８ｍｍで選択するとよい。また、隣り合う四角錐型の拡散ドット２９間のピッチについても特に限定するものではなく、例えば、１．５ｍｍ〜８．０ｍｍのピッチの間から適宜選択することができる。好ましくは、１．５ｍｍ〜３．０ｍｍのピッチに作製するとよい。
【００２９】
なお、拡散ドット２９の形状としては、凹状に凹んだ凹部に限らず、凸状の膨らんだ拡散凸部（図４Ｅ）であってもよい。拡散凸部としては、スクリーン印刷やシルク印刷等によって、盛り上がるように（凸状）内周面に形成してもよい。
【００３０】
さらに、拡散又は屈折手段として、前述した拡散ドット２９に代えて、又は拡散ドット２９に加えて、導光部材２０の内周面２２を粗面に形成してもよい。内周面２２を粗面に形成することで、内周面２２の表面で乱反射及び拡散が発生し、内周面２２の表面が明るく光って見える。これにより、奥行き方向に連続する像をより明るく視認させることができる。内周面２２を粗面に形成するには、例えば、サンドペーパーやヤスリで削ったり、サンドブラストによって表面に傷をつけたりするとよい。
【００３１】
なお、拡散ドットや粗面を作製する際に、上述した後加工の方法だけでなく、予め拡散ドットや粗面を成形することができるように作製しておいたインジェクション等の型を使用して導光部材の成形時に同時に拡散ドットや粗面を成形してもよい。
【００３２】
さらに、内周面２２に文字や模様等が視認できるように、内周面２２に文字や模様状に上述した拡散ドットや粗面を形成してもよい。また、インク等で内周面２２に文字や模様を描いても良い。内周面２２に表示される文字や模様を奥行き方向へ連続するものとして視認することができる。
【００３３】
導光部材２０には、図５Ａに示すように、内周面２２以外の正面２３、外周面２４及び背面２５の３面に反射部材６０を設けてもよい。反射部材６０を設けることで、導光部材２０に入射された光が正面２３、外周面２４及び背面２５から導出された場合に、効率よく光を導光部材２０内に再導入して内周面２２から光を導出することができる。そのため、反射部材６０を配置しなかった場合と比較して、内周面２２から効率よく光を出射させることができ、内周面２２を明るく光らせることができる。そのため、奥行き方向に連続する像をより明るく視認させることができる。反射部材６０としては、特に限定するものではないが、例えば、白色のシートや鏡面に形成されたテープ等が使用される。なお、反射部材６０は、必ずしも正面２３、外周面２４及び背面２５の３面のすべての配置しなければならないものではなく、正面２３、外周面２４及び背面２５のいずれか２面又は１面に設けても構わない。
【００３４】
また、導光部材２０は、内周面２２以外の正面２３、外周面２４及び背面２５の３面に拡散ドット２８を設けてもよい。かかる拡散ドット２８を設けることで、拡散ドット２８によって光が拡散して効率よく内周面２２から出射する。拡散ドット２８は、前述した拡散ドット２９の形態と同様であるので説明を省略する。
【００３５】
さらに、前述した内周面２２以外の正面２３、外周面２４及び背面２５に反射部材６０を配置した場合に反射部材６０の導光部材２０側の面の反対面に黒色のシートを配置したり、内周面２２以外の正面２３、外周面２４及び背面２５の表面を黒く塗ったりしてもよい。このように黒くすることで、内周面２２以外の正面２３、外周面２４及び背面２５から光が出射することを防止でき、内周面２２以外からの光によって奥行き方向へ複数の内周面２２が連続して顕像されることを防止することができる。
【００３６】
鏡面部材３０は、発光装置１００の背面側に配置され、導光部材２０から出射した光を正面側に反射するための部材であり、一方の面が鏡面に形成されている。鏡面部材３０としては、例えば、ガラスやプラスチックの表面に金属を蒸着させた部材であってもよいし、金属シート自体であってもよい。
【００３７】
ハーフミラー４０は、図１に示すように、導光部材２０から出射した光又は背面側の鏡面部材から反射された光の一部を透過し、残りの光の一部又は全部を反射する部材である。例えば、透明なガラス又は樹脂シートの表面にごく薄い金、銀、銅、アルミニウム、クロム、ニッケル、チタン、スズ等の金属や、これらの金属を含む合金、金属化合物等を薄く蒸着又はスパッタリング等によりコーティングしたものを使用するとよい。なお、すべての光が反射と透過に二分される部材だけでなく、一部が吸収されるような部材であってもよい。また、ハーフミラーの表面にハードコート層等の保護層を形成してもよい。
【００３８】
外周枠５０は、上述した光源部材１０、導光部材２０、鏡面部材３０及びハーフミラー４０を保持するためのものであり、第１実施形態においては、導光部材２０の外周と同様の内周面２２を有する矩形の筒状に形成され、導光部材２０、鏡面部材３０及びハーフミラー４０を重ねた状態で保持可能に形成されている。
【００３９】
こうして構成された各構成部材は、図６に示すように、外周枠５０内に背面側から鏡面部材３０、導光部材２０及びハーフミラー４０の順に配置される。外周枠５０の４隅には、光源部材１０が配置され、主として導光部材の四角形の各辺にそれぞれ光を入射する。勿論光源部材の数は限定するものではなく、内周面２２から十分な光が出射可能であれば、１〜３つであってもよい。こうして発光装置１００は、背面側に鏡面部材３０が、正面側にハーフミラー４０が配置され、それぞれ鏡面部材３０とハーフミラー４０との間の外周側に導光部材２０が配置され、中心部分は導光部材２０の貫通孔により空間が形成される。この空間の外周には、導光部材２０の内周面２２が配置されるため光源部材１０からの光はこの空間内に出射される。
【００４０】
以上のように作製された発光装置１００によれば、光源部材１０を点灯させると、光が導光部材２０内に入射され、光の大部分が内周面２２から出射される。出射された光の一部は、鏡面部材３０へ到達し、他の一部は、直接にハーフミラー４０に到達する。直接にハーフミラー４０へ到達した光の一部はハーフミラー４０を透過して発光装置１００の外へと出射され、ハーフミラー４０を透過しなかった光の一部又は全部は、鏡面部材３０側へ向けて反射される。鏡面部材３０は、受けた光のほぼすべてを反射するため、導光部材２０から直接入射された光及びハーフミラー４０によって反射された光は、再度、ハーフミラー４０へと出射される。この光の一部がハーフミラー４０を透過し、その他の部分がハーフミラー４０によって再度反射される。同様にして、入射されたハーフミラー４０による透過及び反射と鏡面部材による反射とが繰り返されることにより、導光部材２０の内周面２２が、図７に示すようにあたかも発光装置１００の奥行き方向に等ピッチで連続する複数の像として、表示面として機能するハーフミラー４０に視覚化される。言い換えると、奥行き方向に複数の内周面２２の同一パターンがあたかも存在するかのように多重化して視覚的に認識させることができる。このように、第１実施形態の発光装置１００によれば、発光装置１００自体の厚さの何倍もの奥行きを有する像として表示させることができる。
【００４１】
（第２実施形態）
第２実施形態にかかる発光装置１００の導光部材２０が図８Ａに、発光装置１００を視認した状態を図８Ｂに示されている。第２実施形態にかかる発光装置１００は、図８Ａに示すように、使用される導光部材２０の内周面２２に縦の溝２７を２本形成してある。その他の点は第１実施形態と同様であるので説明を省略する。
【００４２】
第２実施形態にかかる発光装置１００によれば、溝２７に形成することによって、拡散ドット２９と同様に溝２７の境界面で光が拡散し溝２７の形状に光って見えるため、溝２７の模様を内周面２２に形成することができる。特に内周面２２の像が奥行き方向へ連続して視覚化されるので、従来のように重ね合わされた像のように、断続的に繰り返されて見えるのではなく、図８Ｂに示すように連続した線のように視覚的に認識させることができる。勿論、溝の形状は特に限定するものではなく、任意の溝形状を使用することができる。また、溝２７の形態は、直線状の溝だけでなく、模様や文字の形状に溝２７を内周面２２に施しても良い。
【００４３】
なお、第２実施形態において、溝２７の代わりに内周面２２から細長く連続的に伸びる突出した凸部で作製してもよい。凸部によっても同様に内周面２２に模様や文字を視認させることができる。
【００４４】
（第３実施形態）
第３実施形態にかかる発光装置１００の導光部材２０の断面図が図９に示されている。第３実施形態にかかる導光部材２０は、内周面２２の全面が上表面に対して斜面に形成されている。その他の点は第１実施形態と同様であるので説明を省略する。
【００４５】
この第３実施形態によれば、内周面２２を鏡面部材３０側に向けて配置することができるので、内周面２２の像がより鮮明に見える。
【００４６】
（第４実施形態）
第４実施形態にかかる発光装置１００の導光部材２０の断面図が図１０Ａに示されている。第４実施形態にかかる導光部材２０は、内周面２２の一部が斜面に形成されていて、垂直部分２２ａと斜面部分２２ｂとを有している。そして、正面２３、外周面２４及び背面２５に反射部材６０を配置するとともに、内周面２２の一部である垂直部分２２ａにも反射部材６０が貼り付けられている。その他の点は第１実施形態と同様であるので説明を省略する。
【００４７】
かかる内周面２２を有する導光部材２０を使用することで、斜面部分２２ｂのみから光が出射されるので、内周面２２より細く強い光の像として視認される。また、垂直部分２２ａからは光が外部へ出射されないので、暗部として視認される。そのため、奥行き方向へ複数の斜面部分２２ｂと垂直部分２２ａとが交互に連続して縞模様の像として視認される。
【００４８】
（第５実施形態）
第５実施形態にかかる発光装置１００の部分断面図が図１１に示されている。第５実施形態にかかる導光部材２０は、内周面２２の一部のみから光を出射するタイプのものである。内周面２２には、中央に内周面２２に沿って凹部２２ｃが形成されており、凹部２２ｃ及び光源部材１０による光の入射部分以外の部分は、すべて反射部材６０が貼着されている。また、反射部材６０を貼り付けた後に、黒色シート８０が貼着される。反射部材６０を貼り付けることで、凹部２２ｃ以外から出射する光を再度導光部材２０内に反射させて効率よく凹部２２ｃから光を出射することができる。また、本来視認させたい内周面２２の凹部２２ｃ以外をできる限り黒色シート８０で覆うことで、本来視認させたくない表面が上面から視認される可能性を低減することができる。なお、黒色シート８０を貼着する代わりに、黒色に着色したり、塗布したりしてもよい。こうして凹部２２ｃのみから光が出射されるので、内周面２２より細く強い光の像として視認される。この際に、凹部２２ｃの底面をレーザー加工等によって梨地加工、マット加工、シボ加工等の凹凸を有する粗面に形成することによって光が効率よく拡散され、より均一に光を出射することができ凹部２２ｃを視認しやすくすることができる。なお、凹部２２ｃの形状は特に限定するものではなく、任意の溝形状を使用することができる。また、凹部２２ｃの形態は、直線状の溝だけでなく、模様や文字の形状に凹部２２ｃを形成してもよい。また、凹部２２ｃの代わりに内周面２２から細長く連続的に伸びる突出した凸部で作製してもよい。凸部によっても同様に内周面２２に模様や文字を視認させることができる。
【００４９】
（第６実施形態）
第６実施形態にかかる発光装置１００の導光部材２０の斜視図が図１２に示されている。第６実施形態にかかる導光部材２０は、内周面２２が曲面に形成されている。その他の形態は第１実施形態と同様であるので、説明を省略する。
【００５０】
かかる内周面２２を有する導光部材２０を使用することで、奥行き方向へ複数の内周面２２が連続して視認された際に様々な形状を有するトンネル状に視認させることができる。
【００５１】
（第７実施形態）
第７施形態にかかる発光装置１００が図１３に示されている。図１３は第７実施形態にかかる発光装置１００の断面図である。第７実施形態にかかる導光部材２０は、導光部材２０と鏡面部材３０との間及び導光部材２０とハーフミラー４０との隙間１を設けたり、他の部材２を入れたりしてもよい。その他の形態は第１実施形態と同様であるので説明を省略する。他の部材２としては、板材を配置してもよい。他の部材の材料は特に限定するものではないが、導光部材２０と同様の素材、例えば高透過性を有するメタクリル樹脂又はアクリル樹脂を使用するとよい。この場合に、他の部材２の内面側に黒色シートを配置するか又は黒色に着色すれば、他の部材２が視認される可能性を低減することができる。
【００５２】
かかる構成を採用することによって、隙間１又は他の部材２の部分は、正面から視た際には、暗部として視認することができる。そのため、隙間１又は他の部材２を形成することで、導光部材２０の内側面２２の間に暗く映る暗部を形成することができる。よって、内側面２２と隙間１又は他の部材２とにより明暗の縞模様状に繰り返した像を視認させることができる。
【００５３】
（第８実施形態）
第８実施形態にかかる発光装置１００が図１４に示されている。図１４は第８実施形態にかかる発光装置１００の導光部材２０を示す斜視図である。第８実施形態にかかる導光部材２０は、ハーフミラー４０の上表面に表示情報（ＡＢＣＤ）が記載されている。
【００５４】
ハーフミラー４０に表示情報（ＡＢＣＤ）を設けることで、上述した効果に加えて、模様又は表示情報が上表面に浮いているように視認される。
【００５５】
なお、本発明は上述した実施形態に何ら限定されることはなく、本発明の技術的範囲に属する限り種々の態様で実施し得ることはいうまでもない。
【００５６】
上述した実施形態においては、すべて光源部材１０を導光部材２０の外周側に配置するものとしたが、図１５Ａに示すように、光源部材１０は背面側に対向するように配置してもよい。また、図１５Ｂに示すように正面側に対向するように配置してもよい。    
【００５７】
また、上述した各実施形態においては、鏡面部材３０及びハーフミラー４０は、平面であることを想定して説明したが、鏡面部材３０及びハーフミラー４０のいずれか又は両方の中央が緩やかに湾曲している湾曲面を有するものを使用してもよい。湾曲には、レンズの表面のように中央が膨らみ又は凹んでいる形態であってもよいし、板材の両側から曲げて円柱の一部の面のような形態であってもよい。鏡面部材３０とハーフミラー４０との湾曲方向の組み合わせは自由であり、鏡面部材３０及びハーフミラー４０のいずれも向かい合う面（鏡面部材３０の背面側とハーフミラー４０の正面側）が膨らんでいる場合又は凹んでいる場合、鏡面部材３０の背面側が膨らんでいてハーフミラー４０の正面側が凹んでいる場合（図１７参照）、鏡面部材３０の背面側が凹んでいてハーフミラー４０の正面側が膨らんでいる場合、鏡面部材３０の背面側が膨らんでいるか又は凹んでいる場合であってハーフミラー４０の正面側が平面の場合、鏡面部材３０の背面側が平面であってハーフミラー４０の正面側が凹んでいるか又は膨らんでいる場合の組み合わせが考えられる。これらの組み合わせによって、発光装置１００を視認した場合に内周面２２が奥に向かって周囲に広がったように見せたり、逆に中央に収束していくように見せたりすることができる。    
【００５８】
さらに、上述した各実施形態においては、別途作製された枠５０に鏡面部材３０及びハーフミラー４０等を保持するものとしたが、発光装置１００が取り付けられる物体自体に組み付けて鏡面部材３０及びハーフミラー４０等の発光装置１００を物体と一体としてもよい。例えば、自動車の内装に発光装置１００を取り付けたい場合には、ドアトリム、ダッシュボード等に直接発光装置１００を組み付けて一体に形成するといった具合である。    
【産業上の利用可能性】
【００５９】
上述した実施の形態で示すように、発光装置として利用することができる。
【符号の説明】
【００６０】
１０…光源部材、１１…光源取付部材、１２…光源、１２ｂ…光源、
２０…導光部材、２０ａ…リング、２１…貫通孔、２２…内周面、
２２ａ…垂直部分、２２ｂ…斜面部分、２２ｃ…凹部、２３…正面、
２４…外周面、２５…背面、２７…溝、２８…拡散ドット、２９…拡散ドット、
３０…鏡面部材、４０…ハーフミラー、５０…外周枠、６０…反射部材、
８０…黒色シート、１００…発光装置
【図１】
2014240941.tif 000003
【図２】
2014240941.tif 000004
【図３】
2014240941.tif 000005
【図４】
2014240941.tif 000006
【図５】
2014240941.tif 000007
【図６】
2014240941.tif 000008
【図７】
2014240941.tif 000009
【図８】
2014240941.tif 000010
【図９】
2014240941.tif 000011
【図１０】
2014240941.tif 000012
【図１１】
2014240941.tif 000013
【図１２】
2014240941.tif 000014
【図１３】
2014240941.tif 000015
【図１４】
2014240941.tif 000016
【図１５】
2014240941.tif 000017
【図１６】
2014240941.tif 000018